Podtech/llm-jp-corpus-v4-ja_patent huggingface dataset:
(57)【要約】  【課題】    ワインボトル、焼酎ボトル等の飲料ボトルを効率的に収納する組み立て式のボトル収納棚を実現する。更にワインボトルを冷却する事も出来る安価なボトルクーラとしても機能する。  【解決手段】  ボトルを２本のパイプ状枕木で保持、収納するボトル保持器を多段数の棚木に並列設置してボトルを収納する。ボトル保持器の底板に取り付けたペルチェ素子の冷却器をボトル外周面に密着させてボトル内飲料を冷却する。  【選択図】  図４
2006314338.tif 000002
【特許請求の範囲】
【請求項１】
両側縁に固着した２本のパイプ状枕木で飲料ボトルを円筒方向に保持するボトル保持器が、多数段の棚木に多数個置並列設置されて成るボトル収納棚
【請求項２】
両側縁に回転可能に取り付けた２本のパイプ状枕木で飲料ボトルを円筒方向に回転自在に保持し、且つ基板にペルチェ素子を使った冷却器を有するするボトル保持器が、多数段の棚木に多数個置並列設置されて成るボトル収納棚であって、ボトル周面にこの冷却器を密着させてボトル内飲料を冷却するボトル収納棚
【発明の詳細な説明】
【技術分野】
【０００１】
本発明はワインや焼酎のボトルを効率的に収納し更に簡便に冷却保管する事が可能ボトル収納棚に関する。
【背景技術】
【０００２】
従来、ワインや焼酎のボトルを保管するには、壁に専用の保管棚を作ったり、床置型のボトルケース等を特別注文で作成したりしていた。特にワインボトルでは冷温に保持する事が肝要で、従来のワインボトル保管棚は冷蔵庫の様な特別の保冷庫に収納棚を内蔵して保管していたため保存のためのコストが高価となっていた。
【０００３】
図１に示す様な、ボトルＢの直径に合わせて半円状の切り込み部１０を入れた棚木２０で、ボトルＢを支持して収納する組み立て式の比較的安価なボトル収納棚も存在するが、この切り込み部１０とボトルＢと外周面とが切り込み面で接しているため、接触面積が広く、サイズが少しでも合わない場合にはスムーズに収納がなされない欠点があった。
【発明の開示】
【発明が解決しようとする課題】
【０００４】
組み立て式で、サイズの異なるボトルでも様に収納出来て出し入れし易いボトル保管棚を実現しようとするものあり、ボトルとボトル支持面との接触面を最小限にすると共に、ワインボトルを保冷可能にして、安価でコンパクトなボトル棚を実現する。
【課題を解決するための手段】
【０００５】
従来の様に切り込みでボトルを支持するのではなく、２本のパイプ状の枕木でボトル支持し収納する。ボトルはこの枕木と線で接触するので接触面積が小さい。
【０００６】
そして、この枕木を固着している基板に、ペルチェ素子を使用した冷却器を取り付け、これにボトルを密着させて冷却する。
【発明の効果】
【０００７】
上記説明した様に、出し入れが容易であり、ボトルを密に収納する事が可能になる収納効率の高いボトル棚が実現する。更に、密閉空間にボトルを収蔵して冷却するのではなく、本発明に収納したままボトルを簡単に冷却出来る安価で使い勝手のよいボトルクーラーとしても機能する。
【実施例１】
【０００８】
以下本発明の実施例について図２〜図１０を使い説明する。
ボトルを円筒方向に支持するボトル保持器１００は、基板１２０の両側縁に２本のパイプ状枕木１２５が固着され、これでボトルＢを円筒方向に保持する。これによりボトルＢ外周面とパイプ状枕木１２５とは面で接するのではなく、線で接触するので、収納するボトルＢの直径に差異があってもスムーズに保持出来て、出し入れがスムーズに行えるのである。
【０００９】
ボトル保持器１００の基板１２０には嵌合突起１２８があり、図３に示す様に棚木２００のガイド穴２１５に嵌合し、ボトル棚２００の前後２本の棚木２１０に渡されて、これに固定される。
【００１０】
この様にしてボトル保持器１００は多数段の棚木２１０に取り付けられ、図３に示す様に上下多段数に亘ってボトルＢの保持、収納が可能になる。
【００１１】
冷却部を有する本発明に於いては、ボトル保持器１００の基板１５０に冷却ユニット３００が前後に２個取り付けられる。
【００１２】
冷却ユニット３００は基板１５０を切り抜きされた中に取り付けられ、ペルチェ素子３５０の吸熱側にはボトル円周面に沿って湾曲面を有する冷却ジャケット３６０が面密着して取り付けられ、発熱側には放熱器３４０が面密着して取り付けられる。
【００１３】
ペルチェ素子３５０に所定の配線を行い電圧を印加して温度差を発生させる。吸熱側の冷却ジャケット３６０とボトル外周面を密着させ冷温を伝導させてボトル内の飲料を冷やすのであるが、ボトル外周面と冷却ジャケット３６０との密着が完全になされるように、冷却ユニット３００はバネ３８０を介して基板１５０に取り付けられる。
【００１４】
外付けの回転機構４００の回転付与ローラーでボトルを回転させれば、ボトル内の飲料が満遍なく効率良く冷却されるのであり、ボトル外周面の結露した水滴が冷却ジャケット３６０とボトル外周面との間に浸入するので滑らかに回転し、熱伝導もよい。
【図面の簡単な説明】
【００１５】
【図１】従来の組み立て型ボトルケース
【図２】ボトル保持器の斜視図
【図３】ボトル保持器が棚木に勘合して並べられる図
【図４】本発明にボトルを格納した斜視図
【図５】本発明にボトルを格納した後面図
【図６】冷却器を取り付けたボトル保持器の図
【図７】冷却器を取り付けたボトル保持器の一部断面図
【図８】冷却器を取り付けたボトル保持器を棚木に取り付けた後面図
【図９】冷却器を取り付けたボトル保持器を棚木に取り付けた横面図
【図１０】外付け回転機構でボトルを回転させている横面図
【符号の説明】
【００１６】
１０  従来のボトル棚の棚木
２０  切り込み部
１００  ボトル保持器        
１２０  基板 
１２５  パイプ状枕木
１２８  嵌合突起  
２００  ボトル棚        
２１０  棚木
２１５  嵌合穴
３００  冷却器
３４０  放熱器
３５０  ペルチェ素子
３６０  冷却ジャケット
３８０  バネ
４００  外付け回転機構
４５０  回転付与ローラー
４８０  外付け回転機構取り付け具
Ｂ  ボトル
【図１】
2006314338.tif 000003
【図２】
2006314338.tif 000004
【図３】
2006314338.tif 000005
【図４】
2006314338.tif 000006
【図５】
2006314338.tif 000007
【図６】
2006314338.tif 000008
【図７】
2006314338.tif 000009
【図８】
2006314338.tif 000010
【図９】
2006314338.tif 000011
【図１０】
2006314338.tif 000012
(57)【要約】【課題】濾材３によって水を濾過することができ、水によって濾材３を逆洗することができる濾過装置において、その逆洗効果を高める。【解決手段】濾材３に活性炭と珪藻土の混合成型体、活性炭とセルロースの混合成型体または活性炭、珪藻土およびセルロースの混合成型体を使用する。【選択図】図１
2006314964.tif 000002
【特許請求の範囲】
【請求項１】
濾材によって水を濾過することができ、水によって前記濾材を逆洗することができる濾過装置であって、前記濾材に活性炭と珪藻土の混合成型体、活性炭とセルロースの混合成型体または活性炭、珪藻土およびセルロースの混合成型体を使用したことを特徴とする濾過装置。
【請求項２】
水道水栓パイプ直結浄水器であることを特徴とする請求項１に記載の濾過装置。
【発明の詳細な説明】
【技術分野】
【０００１】
この発明は、濾材によって水を濾過することができ、水によって濾材を逆洗することができる濾過装置に関するものである。
【背景技術】
【０００２】
以前、出願人は特別の構成の濾過装置を開発し、提案した。特公平７−３６９１０号公報（特許文献１）に記載されているものがそれである。同公報の装置は水道水栓パイプ直結浄水器であり、その特徴は浄水筒と弁体を一体化したことである。したがって、浄水筒を弁体と一体的に回転させ、弁体によって水の流路を切り換えることができる。浄水筒は濾材を充填したものである。この結果、濾材によって水を濾過することができるだけではなく、水によって濾材を逆洗することができ、浄水器の市場において、その逆洗機能が高く評価され、現在に至っている。
【０００３】
ところで、同公報の装置の場合、水によって濾材を逆洗することができるが、問題はその逆洗効果である。できるだけ逆洗効果を高め、迅速に、効果的に濾材が逆洗されるようにすることが好ましく、その改良が強く要望されている。
【０００４】
一方、水を濾過する濾過装置において、濾材として活性炭を使用することは一般的である。特開平４−２４７２３２号公報（特許文献２）に記載されているように、濾材に活性炭と珪藻土の混合成型体を使用することも知られている。特開２００２−３５５５１５号公報（特許文献３）に記載されているように、濾材に活性炭とセルロースの混合成型体を使用することも知られている。この場合、珪藻土またはセルロースによって濾過効果を高めることができる。
【０００５】
この発明は、濾材によって水を濾過することができ、水によって濾材を逆洗することができる濾過装置において、濾材に着眼してなされたものである。その目的は、逆洗効果を高めることにある。
【特許文献１】特公平７−３６９１０号公報
【特許文献２】特開平４−２４７２３２号公報
【特許文献３】特開２００２−３５５５１５号公報
【発明の開示】
【０００６】
この発明によれば、濾材によって水を濾過することができ、水によって濾材を逆洗することができる濾過装置において、濾材に活性炭と珪藻土の混合成型体、活性炭とセルロースの混合成型体または活性炭、珪藻土およびセルロースの混合成型体が使用される。
【０００７】
好ましい実施例では、濾過装置は水道水栓パイプ直結浄水器からなる。
【発明を実施するための最良の形態】
【０００８】
以下、この発明の実施例を説明する。
【０００９】
図１はこの発明にかかる濾過装置を示す。この装置は水道水栓パイプ直結浄水器からなり、特公平７−３６９１０号公報の浄水器と同様の構造のもので、浄水筒１と弁体２を一体化したものである。浄水筒１は濾材３を充填したもので、カートリッジ式であり、カバー４に収容されている。弁体２はケーシング５に挿入され、ケーシング５は出口孔７を有し、水道水栓パイプ６に取り付けられている。
【００１０】
したがって、濾材３によって水を濾過し、これを出口孔７から排出することができる。図２に示すように、カバー４および浄水筒１を弁体２と一体的に回転させ、弁体２によって水の流路を切り換え、水によって濾材３を逆洗し、その水を出口孔７から排出することもできる。
【００１１】
さらに、この装置では、特開平４−２４７２３２号公報のものと同様、濾材３に活性炭と珪藻土の混合成型体が使用されている。したがって、濾材３によって水が濾過されるとき、珪藻土によって濾過効果が高められる。
【００１２】
さらに、この装置では、水によって濾材３を逆洗することができるが、濾材３に活性炭と珪藻土の混合成型体が使用されていることは前述したとおりである。この場合、混合成型体によって逆洗効果が高められる。発明者はこの事実を新たに発見した。そして、それがこの発明の出発点であり、基本的特徴である。
【００１３】
逆洗効果が高められる理由は必ずしも明らかではないが、一般に、水は微粒子系懸濁物や細菌を含み、それが負電荷をもつことは知られているところである。一方、濾材３に活性炭と珪藻土の混合成型体を使用すると、それ自体が負電荷をもつのではないかと考えられる。したがって、水が濾過されるとき、微粒子系懸濁物や細菌や濾材３が電気的作用を受け、互いに反発し、付着しにくい。この結果、濾材３が逆洗されるとき、混合成型体によって逆洗効果が高められるのではないかと考えられるものである。
【００１４】
したがって、この装置では、混合成型体によって逆洗効果が高められ、迅速に、効果的に濾材３を逆洗することができる。しかも、それによって濾過効果が損なわれることはない。むしろ、珪藻土によって濾過効果が高められることは前述したとおりである。
【００１５】
特開平２００２−３５５５１５号公報のものと同様、濾材３に活性炭とセルロースの混合成型体を使用してもよい。濾材３に活性炭、珪藻土およびセルロースの混合成型体を使用してもよい。活性炭とセルロースの混合成型体または活性炭、珪藻土およびセルロースの混合成型体を使用しても、混合成型体によって逆洗効果が高められることは確かめられている。その理由は活性炭と珪藻土の混合成型体と同様である。
【図面の簡単な説明】
【００１６】
【図１】この発明の実施例を示す断面図である。
【図２】図１の浄水筒を回転させた状態を示す断面図である。
【符号の説明】
【００１７】
１  浄水筒
２  弁体
３  濾材
６  水道水栓パイプ
【図１】
2006314964.tif 000003
【図２】
2006314964.tif 000004
(57)【要約】      （修正有）【課題】回転式連結処理機を提供する。【解決手段】従来の処理機１と違い処理機全体が回転しながら処理分解を行うため処理能力も向上し、タイヤ４の回転で回転させるため、処理中の騒音もすくない。又、円筒処理機は何台も連結出来るため一度に多くの廃棄物の処理も短時間で出来る。処理機自体が左右に回転するため処理能力も上がり、又タイヤにてトラムを回転さするため、騒音の心配もなく、連結可能で煩わしい作業もなく、自動で処理過程を進める事ができる。【選択図】図１
2006314980.tif 000002
【特許請求の範囲】
【請求項１】
本発明は、牛糞、豚糞、食品残渣、汚泥、ヘドロの処理分解に関わる発明です。本発明は円筒型処理機であります。通常の処理機は大量処理するにも限界があり、又、処理時間も長時間かかります。本発明の処理機は何台でも連結できるようにした。図でしめしたように同じ大きさの円筒処理機を連結する発明です。
【請求項２】
本発明の円筒処理機はここに動力源をつけてある。
【請求項３】
本発明の円筒処理機内部にはスクリュ条の羽を付けた。
【請求項４】
本発明の円筒処理機の内側に傾斜部分を設けた。傾斜部分を設けたことにより円筒処理機の連結で、次ぎの処理機に一時加工した処理剤を次の円筒処理機に送り込めるようにした。円筒処理機は時間差で左右に回転する、次の処理機に送り込む時は右回転にし送り込む。
【請求項５】
円筒処理機の連結部分に仕切り便を設けた。次の処理機に送り込む時に開閉する。
【請求項６】
回転は円筒処理機全体を回転させる。回転は減速モーターを使用する。
【請求項７】
円筒処理機の支えシャフトから温風を内部に送り込み、温度コントロールと悪臭除去を兼ねる。
【発明の詳細な説明】
【技術分野】
【０００１】本発明は、牛糞、豚糞、汚泥、ヘドロ、食品残渣、等の分解処理機です。
［背景技術］【０００２】現在、牛糞、豚糞、汚泥、に関しては広大な敷地において、自然発酵処理してます。時間も掛かるし、人件費も掛かり、悪臭の問題もあります。本発明円筒処理機は、処理機全体が撹拌作業をおこなうので処理能力も大幅に向上する。処理機の回転には左右に六個のタイヤを使用して騒音防止をはかった。この処理機は一度投入すれば完全なコンポストが出来るまで、煩わしい手作業はいらない。
［発明の開示］
［発明が解決しようとする課題］【０００３】本発明は、業務用、食品残渣、家畜の糞、汚泥、ヘドロ等の廃棄物処理機についての発明です。
本発明の特徴は、処理機全体を円筒にし、回転させる仕組みであり、又、同じ処理機を連結出来るようにした。
［課題を解決するための手段］【０００４】本発明は、業務用、食品残渣、家畜の糞、汚泥、ヘドロ等の廃棄物処理機を円筒型にした。円筒型にすることにより、従来の処理機より小型になり、処理量も大幅に増やせ、処理時間も短縮できる。又、円筒処理機自体が回転するので、処理時間の短縮にもなり処理機の回転も、騒音をなくするためタイヤを利用した。。又、処理機をいくつも連結できるようにした。連結した処理機は個々に回転出来るようにした。第一の処理機、第二の処理機にコンポストを送り込むには連結部分の仕切り弁を開閉することにより第一処理機より第二処理機に人手を使わず処理機の回転のみで送り込むことができる。又、支柱シャフトから温風を送り込むことが出来、温度、乾燥、悪臭除去もできるようにした。このような処理機により通常の１０分１の時間で処理が出来る。
［発明の効果］【０００５】処理機全体の稼働をタイヤを利用したことにより騒音の問題も少なくなり、又、何台もの円筒処理機を連結できため一度に大量の廃棄物処理ができる。
［発明を実施するための最良の形態］【０００６】以下、本発明の実施の形態について説明する。
円筒処理機は取り付け支柱（左右）に固定する。連結の場合も同じです。取り付け支柱の下左右にシャフトが二本ありシャフトにタイヤを固定してある。その上に円筒処理機を固定する。このようにして、何台でも連結できる。
【図面の簡単な説明】
【０００７】［図１］    連結円筒処理機の全体図
［図２］    処理機の切断面
［図３］    処理機の単独組図
［図４］    円筒処理機斜視図
【符号の説明】
【０００８】  １    処理機
２    支柱
３    開閉弁
４    タイヤ
５    回転シャフト
６    歯車
７    歯車
８    モーター
９    設置台
１０    フイルター
１１    温風口
１２    処理機内部のスクリュウ
１３    フイルター
１４    ベアリング
１５    ベアリング
１６    ベアリング
【図１】
2006314980.tif 000003
【図２】
2006314980.tif 000004
【図３】
2006314980.tif 000005
【図４】
2006314980.tif 000006
(57)【要約】【課題】  絨毯、床、凹凸面などのゴミを効率的に吸引できる掃除機のノズルを提供する。【解決手段】  掃除機のノズルの先端に静電気を有効に発生させる繊維付きローラ（１）を設け、回転方向変換ギア（４）により回転軸（２）をノズルの先端方向へ回転する方向に回転させる。回転するローラ（１）にはワイパー（３）を接触させ、ローラ（１）の表面に付着した埃などを除去するのと同時に摩擦により静電気を発生させ、埃の吸着効率を上げる構造を持つ掃除機のノズル。【選択図】図１
2006314747.tif 000002
【特許請求の範囲】
【請求項１】
掃除機のノズルの先端に静電気を生じる繊維付きローラ（１）を設け、回転動力によりローラを回転させ、ワイパー（３）によりローラ（１）表面のゴミを除去するのと同時に摩擦により静電気を発生させる構造を持つ掃除機のノズル。
【発明の詳細な説明】
【技術分野】
【０００１】  この発明は繊維付きローラを掃除機ノズルに設け、ローラを回転させることにより、静電気と回転に伴う風力を利用して、吸引力を増す掃除機に関するものである。
【背景技術】
【０００２】  掃除具は、空気の吸引力を利用する掃除具、粘着テープの粘着力により貼り付けて髪の毛や埃等を除去するローラ型の掃除具、静電気や化学物質の効果により埃などを吸着させ除去するモップ型や雑巾型の掃除具など、多種存在している。掃除する際にはより効果が得られる掃除具に掃除する対象部分に合わせて適宜交換する必要があった。
このように多種の掃除具を適宜交換して作業するのは面倒であり、出来れば１種類の掃除具で掃除できれば作業効率は上がる。
この発明は１種類の掃除具で多種の掃除具の機能を包含させることを狙ったものである。
【発明が解決しようとする課題】
【０００３】  従来の空気の吸引力を利用した掃除機の場合は絨毯の上の髪の毛などの細長いものを吸引することは難しかった。このような髪の毛などを除去するために粘着テープ付きのローラを回転させる掃除具が存在するが、粘着テープ表面に埃などが付着するので粘着力はすぐに低下し表面の粘着テープを頻繁に交換しなければならなかった。
また、床の上を空気の吸引力を利用した掃除機で掃除しても表面の微細な埃や板の間の隙間の埃を除去するのは難しかった。そのためモップなどを利用して拭き掃除も必要になっていた。
凹凸が多い部分に付着した埃などを従来の掃除機で吸引しようとしても凹面においては吸引力が低下し十分な埃除去効果を得ることができなった。化学繊維の静電気により凹凸面の埃を除去する掃除具が存在するが、掃除具の繊維の表面に付着した埃を除去するのは面倒な作業であった。
化学物質を雑巾に付着させた掃除具も存在するが、埃を吸着するだけではなく、逆に化学物質を掃除の対象物に付着させてしまうので、化学物質を付着させたくない掃除の対象物には向かなかった。
【課題を解決するための手段】
【０００４】  掃除機ノズルの先端に静電気を生じる繊維付きローラを設け、ノズルの先端方向へ回転する方向にモータか、吸引力を利用したプロペラなどの動力により回転させる。掃除機ノズルの内部には繊維付きローラの表面の埃を掻き取るのと同時に摩擦により静電気を生じさせるワイパーを設ける。
【発明の効果】
【０００５】  本発明により「発明が解決しようとする課題」で挙げた全ての課題が解決できる。
繊維付きローラの静電気の効果と繊維付きローラの回転に伴う風力により、絨毯表面の髪の毛や埃を強力に吸引することができ、絨毯の掃除に粘着テープのローラの掃除具は不要になる。
床の掃除では板の間の隙間の埃を繊維付きローラの毛足が到達するか、静電気およびローラの回転に伴う風力の効果で掻き出すことができる。さらに板表面は繊維付きローラにより磨き上げることができるので、モップなどの掃除具を利用した拭き掃除は不要になる。
凹凸が多い部分に付着した埃などを吸引するには繊維付きローラの毛足を比較的長いものを利用することで凹凸の起伏が大きい場合でも利用できる。繊維付きローラに付着した埃はワイパーによりローラーの回転中に自動的に除去されるので連続して作業することができる。化学物質は使わないので化学物質を付着させたくないものへの掃除にも有効である。
【発明を実施するための最良の形態】
【０００６】  次にこの発明の具体的な構造について説明する。
掃除機のノズルの先端に静電気を有効に発生させる繊維付きローラ（１）を設け、回転方向変換ギア（４）により回転軸（２）をノズルの先端方向へ回転する方向に回転させる。回転するローラ（１）にはワイパー（３）を接触させ、ローラ（１）の表面に付着した埃などを除去するのと同時に摩擦により静電気を発生させ、埃の吸着効率を上げる。また、ワイパーは掃除機本来の吸引力を漏らさないシールドとしての役目も果たす。
回転方向変換ギア（４）には掃除機の吸引力により回転動力を発生させる螺旋状プロペラ（５）と接続させる。螺旋状プロペラ（５）は一つの回転動力発生装置で本発明に必須ではなく、回転動力が得られれば電気モータなどを回転動力発生装置として利用してもよい。
ローラ（１）はノズルの先端に付けた方が凹凸面にローラを接触させやすくなるという点で掃除しやすくなるので適しているが、ローラ（１）をノズルの後端に付け、回転方向を逆にした場合でも本発明の効果は得られる。
ローラ（１）は磨耗による劣化や表面の汚れの洗浄などのために容易に交換できる構造であることが望ましい。
ローラ（１）の幅の狭いタイプにすることによって、狭い隙間の掃除に適したノズルとすることができる。
ローラ（１）の毛足を長いものにすることによって、より凹凸の起伏の大きな面の掃除に適したノズルとすることができる。
本発明は以上のような構造を持つ掃除機のノズルである。
【実施例】
【０００７】  以下、本発明の実施の形態について説明する。
（イ）掃除機の吸引力か、モータの動力などによって、回転動力を得、繊維付きローラ（１）を回転させる。
（ロ）ローラ（１）はワイパー（３）に接触しており、摩擦により静電気が発生する。
（ハ）掃除機ノズルを床、絨毯などに接触させると、ローラ（１）表面の静電気、回転に伴う風力、ローラと掃除面の接触によって、従来、吸引することが難しかった髪の毛や細かい埃を吸引し、ローラ（１）に接触するワイパー（３）によって掻き取ることができる。
【産業上の利用可能性】
【０００８】  家庭用、業務用掃除機を製造するメーカにとって、より作業効率の高い掃除機を提供することで利用者に高い利便性を提供することができる。
【図面の簡単な説明】
【０００９】
【図１】本発明の一部を切り欠いた側面図である。
【図２】本発明の一部を切り欠いた下方から見た平面図である。
【符号の説明】
１  ローラ    ２  回転軸    ３  ワイパー
４  回転方向変換ギア    ５  螺旋状プロペラ    ６  吸気口
【図１】
2006314747.tif 000003
【図２】
2006314747.tif 000004
(57)【要約】      （修正有）【課題】従来方式では自らの筋肉、体を使っておらず、従い血流量も平常時と同じで、又患部を集中的に動かし、引っ張りもせず、ただ単に横たわりマッサージを受けるだけで、その効果は限定的で又人間の体には反作用があり、もみ戻し作用（リバウンド）により次ぎはもっと凝る欠点があり問題の根本的解決にはなっていない。本発明は、これらの欠点を除くためになされたものである。【解決手段】まず実施例図面の３足踏み又は自転車こぎ又はその他の運動機構を設け、通常のマッサージチェア１の前面、側面下部、斜め側面、に伸縮ユニットＡ，Ｂ，Ｃを設け、上部にも設け、上部以外は静止状態で引っ張り力、背部には圧縮力を静止状態でかけておき取っ手を設けた構成よりなるマッサージチェアである。【選択図】図１
2006314741.tif 000002
【特許請求の範囲】
【請求項１】
マッサージチェアに使用者が足腰を運動することにより血量を増やす為の運動装置を付ける。
【請求項２】
マッサージチェアに腰及び背中、側部及び斜め後方に腕及び肩、上部に腕及び肩及び背中を各方向から自発的運動により伸縮させる伸縮ユニットを備える。
【発明の詳細な説明】
【発明の詳細な説明】
【技術分野】
【０００１】この発明はマッサージチェアに使用者自ら行う運動及び患部ストレッチ機能を付けたものである。
【背景技術】
【０００２】従来は単にマッサージチェアに横たわり受動的にマッサージを受ける。
【発明が解決しようとする課題】
【０００３】従来方式では自らの筋肉、体を使っておらず、従い血流量も平常時と同じで、又患部を集中的に動かし、引っ張りもせず、ただ単に横たわりマッサージを受けるだけで、その効果は限定的で又人間の体には反作用があり、もみ戻し作用（リバウンド）により次ぎはもっと凝る欠点があり問題の根本的解決にはなっていない。本発明は、これらの欠点を除くためになされたものである。
【課題を解決しようとする手段】
【０００４】まず実施例図面の３足踏み又は自転車こぎ又はその他の運動機構を設け、通常のマッサージチェア１の前面、側面下部、斜め側面、に伸縮ユニットＡ，Ｂ，Ｃを設け、上部にも設け、上部以外は静止状態で引っ張り力、背部には圧縮力を静止状態でかけておき取っ手を設けた構成よりなるマッサージチェアである。
【発明を実施するための最良の形態】
【０００５】以下、本発明の実施例の形態について説明する。（イ）マッサージチェア１の前面に足踏み又は自転車こぎ又はその他の運動機構３を設けそのサポート４には高さ調整機構５がついており先端に伸縮ユニットＡを設ける。（ロ）同様両側面に伸縮ユニットＢを設ける。（ハ）同様両斜め側面に伸縮ユニットＣを設ける。（ニ）同様背面に背筋用の伸縮機構を設ける。本発明を使用するときは、足踏み又は自転車こぎ又はその他の運動機構３にて足を中心とした下半身運動から始め、その後マッサージチェアに座り各伸縮ユニットを手で引っ張り伸縮ユニットのもつ引っ張り力により肩、背筋、背中を引き伸ばす、またサポート４は高さ調整機構を持っているので異なる高さにて引き伸ばし運動が可能で、マッサージチェアの両方の横に別々に座り片手で伸縮ユニットを使うことも可能で、各伸縮ユニットにより肩及び背中はありとあらゆる方向の伸縮運動が可能でありその後通常のマッサージチェアのマッサージを受ける。
【発明の効果】
【０００６】本発明は以上のような構造なのでこれを使用することにより（イ）従来は運動をしないため脈拍が上がらず従って血量も増えない、凝りの改善は血量が大きな要素であり、増えることにより凝りに対する格段の効果が得られる。（ロ）従来にはない肩、首、背中の凝っている部位に対しありとあらゆる方向からの適度の引っ張り力、圧縮力を加えることにより集中的に改善させる効果がある。（ハ）この発明は従来にはない持続して使うことにより、足の大きな筋肉からはじめ、腕、背中、肩の筋肉を使うので運動効果が得られる。
【図面の簡単な説明】
【０００７】本発明の実施例面図である。
【符号の説明】
１通常のマッサージチェア  ２付属装置を取り付ける架台  ３足踏み又は自転車こぎ又はその他の運動機構４サポート  ５高さ調整機構  ６伸縮ユニットＡ  ７フレーム  ８ガイド１  ９引っ張りすぎ防止用ストッパー  １０静止状態で引っ張り力をかけておくバネ又はゴム又は他の駆動源１  １１取っ手  １２伸縮ユニットＢ  １３伸縮ユニットＣ  １４サポート金具  １５ガイド２  １６静止状態で圧縮力をかけておくバネ又はゴム又はその他の駆動源２  １７ストロークを止めるストッパー  １８背部取っ手  １９揉み玉
【図１】
2006314741.tif 000003
(57)【要約】      （修正有）【課題】理美容トレーニングウイッグに人間の上半身を取り付けることにより使用者が実践的で効果的な練習を行うことを目的とするものである。【解決手段】理美容トレーニングウイッグをホルダー前面より取り付け、マジックテープにより固定するものである。【選択図】図１
2006314742.tif 000002
【特許請求の範囲】
【請求項１】
理美容トレーニングウイッグを固定する実際の人間に似た形状をしたホルダー
【発明の詳細な説明】
【発明の詳細な説明】
【０００１】このホルダーを取り付けることにより理美容トレーニングウイッグを実際の人間に近い状態にすることができる。そのため、トレーニングを行っている者が、より実践的で、効率的な練習を行うことができる。
【０００２】従来は、首の部分までしかなかったので、実際の人間と違った状態であった。
【０００３】人間の上半身をかたちどったホルダーを取りつけることにより使用者が、実際の人間を相手にするのと全く同様の状態で練習をすることが出来る。そのため、練習が実践的になり、効果の確認も容易になる。
理美容トレーニングウイッグの首のサイズに多少のバラつきがあるため塩化ビニール、ポリエチレン、ポリプロピレンなどの比較的軟質の樹脂が適している。
【０００４】理美容トレーニングウイッグを前面より装着し、マジックテープを用いてホルダーに固定する。
【０００５】実際にとりつけて練習すると、臨場感のある実践的な練習が容易にできるようになる。
【図面の簡単な説明】
【図１】理美容トレーニングウイッグを取り付けた状態の正面図
【図２】理美容トレーニングウイッグを取りはずした状態の正面図
【図１】
2006314742.tif 000003
【図２】
2006314742.tif 000004
(57)【要約】【課題】  従来の脳穿刺用套管針はその構造上、手術操作が順調に施行されることを妨げ、脳組織を損傷させるなど、患者の生命に危機をもたらしていた。本製品は従来の欠点を解決し、患者への貢献をもたらすために発明されたものである。【解決手段】  外套１を透明にすることにより、病変部への穿刺の際に外套先端から頭皮部分に異常がある場合発見が可能になる。また内套２が透明で内視鏡を挿入できる内径を有することにより、本発明を脳室内に到達させるまで観察できるので安全を確保できる。外套１の先端からの縦線３により内視鏡がどの方向を向いているか容易に認識できる。外套１から出ている内套２の先端を短くすることにより、脳室周辺組織の損傷を防ぐことが可能になる。そして内套２の先端両側に２つの穴４を開けることにより、１つが塞がっても機能が損なわれない。【選択図】  図１
2006314744.tif 000002
【特許請求の範囲】
【請求項１】
透明な素材で作られる円柱形の外套１と、その外套１に挿入可能な内套２から構成される脳穿刺用套管針。
【請求項２】
内套２はその中軸にさらに細径の内視鏡を挿入できる適度な内径を有する、請求項１の製造装置。
【請求項３】
外套１の側面３時と９時の部分に先端から中央部にかけ縦線３が付けられる、請求項１．２の製造装置。
【請求項４】
外套１から突き出している内套２の先端部分が従来のものより短くされ、２つの穴４が両側に開けられる、請求項１．２．３．の製造装置。
【発明の詳細な説明】
【技術分野】
【０００１】  本発明は、脳深部にある脳内病変を治療する手術に使用される脳穿刺用套管針に関する。
【背景技術】
【０００２】  従来の脳穿刺用套管針は色調を帯びているため、神経内視鏡を外套を通して病変部へ押し進める際、外套を抜けるまで脳の状態を観察できなかった。観察が出来ないことにより、外套先端よりも頭皮側にある脳の異常または出血を認識できなかった。【０００３】  内視鏡、特に柔性鏡を外套先端よりも押し進め病変部などを観察していると、画面上の上下と実際の生体の上下の関係を見失う状態に陥り、正確な画像診断やそのまた更に奥へのアプローチをすることが困難であった。【０００４】  脳室に脳脊髄液が溜まる水頭症の治療の際、内視鏡を脳の深部にある脳室まで送り込む必要がある。内套が外套に挿入された状態で脳室まで押し進め、内套先端に開けられた穴に脳脊髄液が流入し、それが内套末端より噴出したことを確認することにより脳室到達を判断する。到達すると内套が外套より抜かれ、内視鏡が外套を通し挿入される。しかし脳室、特に小児の脳室は小さく、外套から突き出している内套先端が従来の様に長いと、繊細な周辺組織を損傷する恐れがある。また従来のものは内套先端に穴が一つしかなく、異物により根詰まりを起こした場合、脳室に到達したかどうか見誤る危険性があった。
【発明の開示】
【発明が解決しようとする課題】
【０００５】  以上に述べた欠点は、手術操作が順調に施行されることを妨げ、患者の生命に対する危機をもたらすなど、患者にとって不利益を被らせていた。本発明はこれらの欠点を解決し、患者への貢献をもたらすために発明されたものである。
【課題を解決するための手段】
【０００６】  外套１、内套２、共に透明な素材にする事により、内視鏡を外套１を通して挿入する際、外套１に接する脳の状態を観察でき、更なる安全性が確保される。【０００７】  また内套２の内軸に更に細径の内視鏡を挿入できる適度な内径を有することにより、本発明を脳実質を穿刺し脳室に到達させる際にも、この内部に挿入された内視鏡によって観察することが可能になりより安全な穿刺が行える。【０００８】  外套１の両側３時と９時の部分に、先端部より中央部にかけ縦線３を入れることにより、画面上の上下と実際の生体の上下を見失わず、病変部へのアプローチを容易にする。これは内視鏡を外套１まで引いてくると縦線３が見えるため、上下の判断が可能になるからである。【０００９】  外套１から出ている内套２先端部を短くすることにより、脳室周辺組織への損傷を防ぐことが可能になる。水頭症の患者の脳室に到達した際、内套２の先端に開けられた穴から脳骨髄液が流入し、内套２の末端からその液が溢れ出すことにより到達を確認する。内套２の先端部が長いと、穴が脳室に達する前に内套２の先端が脳室周辺組織に接触し傷つける場合がある。内套２の先端部を短くすることによりこの事故を回避する。また内套２の先端に開けられた穴４のどちらか一方が異物により根詰まりしても、もう一方の穴から脳骨髄液が流入することにより、脳室到達を確実に確認し、周辺組織への損傷を回避する。
【発明の効果】
【００１０】  上述したように本発明は、脳神経内視鏡手術の際に脳の状態が確認でき、内視鏡がどの方向を向いているかの判断を可能にし、脳組織の損傷を防ぐ脳穿刺用套管針を提供できる。
【発明を実施するための最良の形態】
【００１１】  以下、本発明の実施の形態を図１〜図５に基づいて説明する。【００１２】  外套１に内套２を装着する。（図面１）【００１３】  この状態で内視鏡を内套２に挿入し、病変部へ押し進める。病変部へ到達した際内套２を外套１から抜き取る。（図面３）【００１４】  外套１に沿って内視鏡、その他の治療のための機器を挿入し、内視鏡画像を見ながら病変を治療する。（図面４）以上のように本発明を使用すれば、生命への危機を回避することが出来る。
【図面の簡単な説明】
【００１５】
【図１】外套の断面図、外套と内套及び内套が外套に装着されている外観図
【図２】外套と内套の先端部拡大図
【図３】本発明による穿刺の模式図
【図４】手術模式図
【符号の説明】
【００１６】１  外套
２  内套
３  縦線
４  穴
５  外套断面図
【図１】
2006314744.tif 000003
【図２】
2006314744.tif 000004
【図３】
2006314744.tif 000005
【図４】
2006314744.tif 000006
(57)【要約】【課題】  へその垢掃除の際に生じる痛みや不快感を伴わず、手間をかけずにきれいに掃除するためのへその垢掃除用具を提供する。【解決手段】  軟膏を付けた絆創膏状のパッチでへそを覆うことによって、へその垢をふやかし、不快感を伴わずに簡単にきれいにするへその垢掃除用具。【選択図】  図１
2006314750.tif 000002
【特許請求の範囲】
【請求項１】
軟膏を付けた絆創膏状のパッチでへそを覆うことによって、へその垢をふやかし、不快感を伴わず簡単にきれいにするへその垢掃除用具。
【発明の詳細な説明】
【技術分野】
【０００１】  本発明は、へその垢掃除の際に生じる痛みや不快感を伴わず、手間をかけずにきれいに掃除する為のへその垢掃除用具（以下パッチと呼ぶ）に関するものである。
【背景技術】
【０００２】  従来、へその垢掃除は、綿棒などを使って無理に取り除いたり、布などを使ってふき取ったりしてきた。
【発明の開示】
【発明が解決しようとする課題】
【０００３】  そのために、次のような問題点があった。
（イ）  綿棒を使ったり、布で拭きとったりする場合、無理に取り除く傾向があり、痛          みや不快感を伴うことが多かった。
（ロ）  長時間のうつむいた姿勢は首や肩に負担がかかり、時間がかかる割にはきれい          にならないことが多かった。
本発明は、以上の問題点を解決しようとするものである。
【課題を解決するための手段】
【０００４】  軟膏を付けた絆創膏状のパッチでへそを覆うことによって、へその垢をふやかし、不快感を伴わず簡単にきれいにする。以上を特徴とするへその垢掃除用具である。
【発明の効果】
【０００５】  軟膏をつけ、パッチで蓋をし、少し時間を置くことで垢がふやけて柔らかくなり、無理なく簡単にふき取ることができる。しばらくパッチを貼り付けておくだけなので、長時間のうつむき姿勢による体の負担や痛み、不快感を伴うことなくきれいにすることができる。
【発明を実施するための最良の形態】  以下、本発明の実施の形態について説明する。
へそをしっかり覆うことができる大きさのパッチ（１）の中心に軟膏（例えば大塚製薬のオロナインＨ軟膏（登録商標）のようなもの）（２）を付着しておく。
本発明は、以上のような構成になっている。
これを使用するときは、軟膏（２）をへそに入れるようにパッチ（１）を貼り付ける。垢が柔らかくなったらパッチ（１）を剥がし、軟膏（２）と垢をふき取る。
【図面の簡単な説明】
【０００６】
【０００７】
【図１】本発明の斜視図
【図２】本発明の使用状態を示す斜視図
【符号の説明】
【０００８】１  パッチ
２  軟膏
【図１】
2006314750.tif 000003
【図２】
2006314750.tif 000004
(57)【要約】      （修正有）【課題】便利で簡単に使用できる男性排尿携帯用カートイレを提供する。【解決手段】上記のカートイレは排尿の受口に局部をしっかりと中に入れて筒状の管を折り曲げないようにして下にさげて使用する。使用後は器具収納部に入れてポリエチレンジッパーチャックを両方から摘むようにして閉じれば臭気や尿漏れもしない、安心して手軽で清潔に使用できるカートイレである。【選択図】図２
2006314743.tif 000002
【特許請求の範囲】
【請求項１】
ポリエチレンジッパーチャック付袋体を２分割にして排尿用の器具と排尿を固める為の凝固剤［ペットライン株式会社］を入れて携帯用として構成されていることを特徴とする男性排尿携帯用簡易カートイレ
【請求項２】
上記ポリエチレンジッパーチャック付袋体を２分割するためにシーラ［白光株式会社］で熱を加えて接着したことで凝固剤が器具収納部分に入らないように構成されたことが特徴する男性排尿携帯用簡易カートイレである。
【請求項３】
この発明は凝固剤と排尿収納部に排尿管を５ｍｍ中に入れ接着をするが排尿管の片面は接着せず空気を抜く穴として残すように構成されているのが特徴とする男性排尿携帯用簡易カートイレである。
【発明の詳細な説明】
【技術分野】
【０００１】この発明は凝固剤と防水加工された筒状の受口を収納する部分を２分割にして携帯用として構成されたことを特徴とする、男性排尿携帯用簡易カートイレである。【０００２】この発明は排尿使用中に収納されている凝固剤が膨脹するため中に収納されている凝固剤が膨脹するため中の空気が抜けるように構成されていることが特徴とした男性排尿携帯用簡易カートイレ【０００３】上記の排尿使用後は筒状の器具をポリエチレンジッパーチャックの中に収納して閉めるように構成されているのが特徴である。全く手を汚さず、清潔で安心カートイレ
【図面の簡単な説明】
【図１】この発明の男性排尿携帯用簡易カートイレはポリエチレンジッパーチャック付袋体の中に凝固剤と排尿用器具が一体に収納できる正面である。
【図２】この発明の男性排尿携帯用簡易カートイレは使用前使用後の排尿用器具の出入れ口を開いた状態の斜視図である。
【符号の説明】
１…筒状受口  ２…ポリエチレンジッパーチャック
３…凝固剤収納部  ４…排尿収納部
５…２分割した接着部  ６…排尿器具収納部
７…排尿の際に空気を抜く穴
８…開閉のためのジッパーチャック
【図１】
2006314743.tif 000003
【図２】
2006314743.tif 000004
(57)【要約】【課題】高齢者が歩行する際に、自転車や自動車からの視認性が悪く危険を伴う場合がある。さらに使用者が万が一転倒した場合に周囲からの援助が必要となる事があるが、夜間など人通りの少ない環境下では難しい。【解決手段】使用者の動きを杖内部のモーションセンサーで感知し、マイコンプログラムにより杖に内蔵された発光ダイオードを自動的に点灯させ視認性の向上を図る。さらに、使用者が万が一転倒した場合に、杖内部のモーションセンサーが感知しマイコンプログラムが判断を行い自動的に発光ダイオードの点灯とブザー音で周囲に警告し、高齢者の緊急時に早急な対応が可能となる。【選択図】図１
2006314746.tif 000002
【特許請求の範囲】
【請求項１】
杖の内部に動きを感知するモーションセンサー、発光ダイオードを内蔵する。モーションセンサーによって使用者の杖の動作を感知し、マイコンプログラムによりその動きに連動させ発光ダイオードを点灯させる安全杖。
【請求項２】
また、スピーカーとアンプを内蔵し、使用者が万が一転倒した場合等に、モーションセンサーが感知し、マイコンプログラムにより判断を行い自動的に発光ダイオードの点灯とブザー音で周囲に警告する安全杖。
【発明の詳細な説明】
【技術分野】
【０００１】  本発明は杖使用者の安全性の向上を図った安全杖に関する。
【背景技術】
【０００２】  従来の杖は、反射テープを張るなどの視認性を向上させる手段はあるが、直接ライトが当たらない限り効果を発揮しない。したがって、カーブやライトの暗い自転車などからの視認性は課題となっている。【０００３】  さらに、使用者が万が一転倒した場合に周囲からの援助が必要となる事があるが、夜間など人通りの少ない環境下では難しい。
【発明の開示】
【発明が解決しようとする課題】
【０００４】  以上に述べた従来型の杖は、必ずしも視認性が高いとは言えず、夜間や夕刻に安全且つ使用者が安心して歩行できるようにする杖の提供を目的とする。【０００５】  さらに、使用者の転倒を光と音で周囲に警告し、高齢者の緊急時に早急な対応が出来る事を目的とする。
【課題を解決するための手段】
【０００６】  歩行者の動作を感知する、モーションセンサー、杖の動作を感知し連動させ点灯する発光ダイオード、転倒時に周囲に警報音で警告するスピーカーとアンプを杖本体に収納する事で高齢者の安全を図る。
【発明の効果】
【０００７】  以上の説明で明らかなように本発明における安全杖は、発光ダイオードと杖の動作を感知するモーションセンサーの組み合わせにより、動作に連動し発光ダイオードを点灯させる。それにより、視認性の低い夜間や夕刻時の事故を未然に防ぐ。【０００８】  さらに、杖が倒れる事で使用者に何らかの緊急事態が起きたと感知した場合は、ブザー音と共に発光ダイオードを点灯させ、早急に周囲に知らせる事が出来る。
【発明の実施するための最良の形態】
【０００９】  本発明による安全杖について図面を基に説明する。
図１は、本発明の動作感知型安全杖の外観図である。但し、杖のグリップ部分の形状に関してはこの限りでない。
【００１０】  図２は、本発明による安全杖のハードウェアブロック図になり、ＣＰＵ２１、発光ダイオード２２、警報停止ボタン２３、ＡＤＣ２４、モーションセンサー２５、アンプ２６、スピーカー２７、電源２８が杖に内蔵される。
【００１１】  図３および図４は、当該動作例を説明する為のフローチャートである。
【００１２】  通常動作例
Ｓ１１：
使用者の杖の動きをモーションセンサー２５で感知する。
【００１３】  Ｓ１２：
ＡＤＣ２４でアナログからデジタル信号に変換し、ＣＰＵ２１が変位を計算する。
【００１４】  Ｓ１３：
ＣＰＵ２１が杖の動作を判断する。
【００１５】  Ｓ１４：
使用者の杖の動きに連動させ発光ダイオード点灯部１１を点灯させる。
【００１６】  Ｓ１５：
使用者の杖の動きが止まり一定時間が経過した事をＣＰＵ２１が判断する。
【００１７】  Ｓ１６：
使用者の杖の動きが止まった場合は、発光ダイオード点灯部１１を消灯させる。
【００１８】  杖が倒れた場合の例
Ｓ２１：
使用者の杖の動きをモーションセンサー２５で感知する。
【００１９】  Ｓ２２：
ＡＤＣ２４でアナログからデジタル信号に変換し、ＣＰＵ２１が杖の角度を計算する。
【００２０】  Ｓ２３：
ＣＰＵ２１で杖の角度を判断する。
【００２１】  Ｓ２４：
ＣＰＵ２１で杖が倒れてから一定時間が経過したかを判断する。
【００２２】  Ｓ２５：
杖の使用者が倒れた事を認知し、アンプ２６を備えた警報音スピーカー部１２において、警報音を発するとともに、発光ダイオード点灯部１１を点灯させ周囲に警告する。
【００２３】  Ｓ２６：
ＣＰＵ２１で杖が起き上がった事を判断し、アンプ２６を備えた警報音スピーカー部１２の警報音及び発光ダイオード点灯部１１を消灯させる。
【図面の簡単な説明】
【００２４】
【図１】  図１は、本発明の外観図である。
【図２】  図２は、本発明のハードウェアブロック図である。
【図３】  図３は、本発明の通常動作のソフトウェアフロー図である。
【図４】  図４は、本発明の杖が倒れた場合のソフトウェアフロー図である。
【符号の説明】
【００２５】１１・・・発光ダイオード取り付け部、１２・・・警報音スピーカー取り付け部  ２１・・・ＣＰＵ、２２・・・発光ダイオード、２３・・・警報停止ボタン、２４・・・ＡＤＣ  ２５・・・モーションセンサー、２６・・・アンプ、２７・・・スピーカー、２８・・・電源
【図１】
2006314746.tif 000003
【図２】
2006314746.tif 000004
【図３】
2006314746.tif 000005
【図４】
2006314746.tif 000006
(57)【要約】【課題】  従来の傘は、体が雨に濡れないように防ぐという目的が全てでした。【解決手段】  傘にダイオードや電球等の発光体を利用することにより視認性を格段に高めることができると共に夜間においてはイルミネーション効果も発揮されますので、街の景観を美しく彩る傘のイルミネーションにもなり心を和ませます。そして、視認性の悪さからくる車の交通事故の防止にも貢献します。また、発光体は生地面にプリントされた広告宣伝を照らし、浮かび上がらせてくれるため人目を引くことができます。更に、紙面媒体の広告宣伝は次の発行まで、電波媒体の広告宣伝であれば契約期間満了までが宣伝効果の有効期間といえ、これに比べ本発明の傘は使用不可能な状態になるまで不特定多数の人に向けて宣伝効果を持続させることが可能であり、その相乗効果は絶大なものです。【選択図】        図１
2006314722.tif 000002
【特許請求の範囲】
【請求項１】
傘の露先部分にダイオードや電球等の電気的に発光する発光体を取付け、点灯又は点滅をさせるものであり、発光体の材料には先に述べたようにダイオード・電球の他いろいろ応用が可能です。発光体の取付け場所については、露先の他石突や中棒部分に配置することができ、発光色については材料の組合せやリレーション等により好みの発光色の実現も可能です。
【請求項２】
傘の生地の表面又は裏面部分に会社のロゴ・商品のＰＲ・キャッチコピー・告知事項等をプリントすることにより広告宣伝用のスペースとして利用するものです。
【発明の詳細な説明】
【技術分野】
【０００１】  本発明は、傘に電気的に発光するダイオード・電球等を露先に取付ける事により視認性を高めると共に、広告宣伝の対象物を明るく照らし出し人目を引付け、街の景観を彩るイルミネーションとしての効果も発揮する。また、視認性を向上させることにより、交通事故の防止にも貢献できるものです。
【背景技術】
【０００２】  従来の傘は、単に雨に濡れないようにする為の道具としての機能しかなく、視認性と言う面で生地の色を明るめの色に変えることでしか実現しておらず、夜間においての視認性には課題を残しておりました。
【発明の開示】
【発明が解決しようとする課題】
【０００３】  雨天時の視認性を向上させると共に交通事故を未然に防ぎ、街の景観を彩るイルミネーションを演出し、更に、他の媒体にはない広告宣伝効果を実現させるということを課題とするものです。
【課題を解決するための手段】
【０００４】  本発明は、傘の柄（手もと）の部分に電源として乾電池を仕込めるようにし、柄（手もと）から伸びるパイプ部分（中棒）の中に配線を通し中棒から骨の先端部（露先）までの配線は、傘の骨を利用して露先までもって行きます。露先部分には発光体であるダイオードや電球等を露先として利用できるようにしたものです。スイッチは手もとの部分に取付け必要なときにＯＮ・ＯＦＦの切り替を可能にし、手もと部分にリレーション等を利用することにより点灯・点滅をさせる事ができ、発光色は素材等の組合せで好みの色を実現します。
【発明の効果】
【０００５】  傘にダイオードや電球等の発光体を利用することにより視認性を格段に高めることができると共に夜間においてはイルミネーション効果も発揮されますので、街の景観を美しく彩る傘のイルミネーションにもなり心を和ませます。そして、視認性の悪さからくる車の交通事故の防止にも貢献します。また  発光体は生地面にプリントされた広告宣伝を照らし、浮かび上がらせてくれるため人目を引くことができます。更に、紙面媒体の広告宣伝は次の発行まで、電波媒体の広告宣伝であれば契約期間満了までが宣伝効果の有効期間といえ、これに比べ本発明の傘は使用不可能な状態になるまで不特定多数の人に向けて宣伝効果を持続させることが可能であり、その相乗効果は絶大なものです。
【図面の簡単な説明】
【０００６】
【図１】全体図である。
【図２】平面図であり、想像線は電気回路の電源・配線の状態を表す
【図３】回路図であり、抵抗は、ダイオード・電球等の発光体を表す。
【図４】広告宣伝の使用例である。
【符号の説明】
【０００７】  １    発行体（ダイオード）（露先）
２    石突
３    骨
４    受骨
５    中棒
６    ろくろ
７    生地
８    下はじき
９    手もと
１０    スイッチ
１１    乾電池
１２    配線
【図１】
2006314722.tif 000003
【図２】
2006314722.tif 000004
【図３】
2006314722.tif 000005
【図４】
2006314722.tif 000006